(57)【要約】【課題】使用者がリュックサックを背負いやすくすることを可能としたリュックサックベルト構造を提供する。【解決手段】背負い型のリュックサックの左右肩掛けベルトの上端部と内部に収納スペースを設けたパック本体の背負い左右上端部とをそれぞれ可撓性連結体を介在して連結した。【選択図】図１
2018000237.tif 000002
【特許請求の範囲】
【請求項１】
背負い型のリュックサックの左右肩掛けベルトの上端部と内部に収納スペースを設けたパック本体の背負い左右上端部とをそれぞれ可撓性連結体を介在して連結したことを特徴とするリュックサックベルト構造。
【請求項２】
可撓性連結体は、鎖体であることを特徴とする請求項１に記載のリュックサックベルト構造。
【請求項３】
可撓性連結体は、紐体であることを特徴とする請求項１に記載のリュックサックベルト構造。
【発明の詳細な説明】
【技術分野】
【０００１】
この発明は、リュックサックを背負う際に使用者の両腕をスムーズに通すためのリュックサックベルト構造に関するものである。
【背景技術】
【０００２】
従来、使用者が物品等を背中に背負って移動するのに好適な運搬手段としてリュックサックが広く用いられている。このようなリュックサックは、使用者の両手が自由に使用できるので安全性が高く、登山やハイキング等で主に使用されることが多い。また、近年では、登山等以外でも、日常の通勤、通学及び街歩き等でも使用される機会が多くなっている（例えば、特許文献１に記載）。
【先行技術文献】
【特許文献】
【０００３】
【特許文献１】実用新案登録第３１６１９３５号公報
【発明の概要】
【発明が解決しようとする課題】
【０００４】
背負い型のリュックサックにおいて、左右の肩掛けベルトはその一端部をリュックサック本体の上部に所定間隔を空けて縫製し、他端部をリュックサック本体の下方の側部に縫製した構成としており、両ベルトの上方の間隔は固定されたものであった。使用者が、リュックサックを背負う際に、リュックサック本体の上部に左右の肩掛けベルトが固定されていることから、肩幅の広い使用者の場合は、背負いにくいことがあった。
【０００５】
この本発明は、上記課題を解決するものであり、さまざまな使用者がリュックサックを背負いやすくすることを可能としたリュックサックベルト構造を提供することを目的とする。
【課題を解決するための手段】
【０００６】
本発明のリュックサックベルト構造は、背負い型のリュックサックの左右肩掛けベルトの上端部と内部に収納スペースを設けたパック本体の背負い左右上端部とをそれぞれ可撓性連結体を介在して連結したことを特徴とする。
【０００７】
また、可撓性連結体としては鎖体であることを特徴とする。
【０００８】
また、可撓性連結体としては紐体であることを特徴とする。
【発明の効果】
【０００９】
請求項１の発明によれば、背負い型のリュックサックの左右肩掛けベルトの上端部と内部に収納スペースを設けたパック本体の背負い左右上端部とをそれぞれ可撓性連結体を介在して連結したので、使用者がリュックサックを下す際には、一方の肩掛けベルトを使用者の肩部から腕にずらす動作を行うと、肩掛けベルトとバック本体間の可撓性連結体が肩部から腕にずれ落ちるように変形し、肩掛けベルトを使用者の肩部から簡単に外すことができる。逆に背負う際は、肩掛けベルトとバック本体間の可撓性連結体が変形して、肩掛けベルトの上端部が使用者の腕から肩部へ簡単に移動して、リュックサックを簡単に背負うことができる。かかるリュックサックベルト構造を有することにより、肩幅の広い使用者であっても簡単に背負うことができる。
【００１０】
請求項２の発明によれば、可撓性連結体としては鎖体であるので、肩掛けベルトのデザイン的なアクセントとなり、斬新なデザインのリュックサックとすることができる。
【００１１】
請求項３の発明によれば、可撓性連結体としては紐体であるので、使用者の体型に合わせて、長さを簡単に調節することができる。また、様々な色の紐体を準備することで、使用者のし好に合った紐体に取り換えて使用することが可能となる。
【図面の簡単な説明】
【００１２】
【図１】リュックサックベルト機構を備えたリュックサックを示す斜視図である。
【図２】リュックサックの使用状態を示す背面図である。
【図３】（ａ）鎖体の動き１を示す背面図である。（ｂ）鎖体の動き２を示す背面図である。
【図４】リュックサックを下す状態を示す背面図である。
【図５】（ａ）鎖体を示す拡大図である。（ｂ）他の連結体を示す拡大図である。（ｃ）紐体を示す拡大図である。
【発明を実施するための形態】
【００１３】
本発明のリュックサックベルト構造は、背負い型のリュックサックの左右肩掛けベルトの上端部と内部に収納スペースを設けたパック本体の背負い左右上端部とをそれぞれ可撓性連結体を介在して連結したことを特徴とする。
【００１４】
また、可撓性連結体としては鎖体であることを特徴とする。
【００１５】
また、可撓性連結体としては紐体であることを特徴とする。
【００１６】
以下、本考案の実施例について図面を用いて詳細に説明する。
【００１７】
以下、図１〜図２を参照して、本実施例におけるリュックサックベルト構造について説明する。図１はリュックサックベルト機構を備えたリュックサックを示す斜視図である。図２はリュックサックの使用状態を示す背面図である。
【００１８】
図１及び図２に示すように、リュックサックＫは、内部に収納スペースを設けたバック本体２と、左右肩掛けベルト４，５の上端部とバック本体２の背負い左右上端部とをそれぞれ可撓性連結体を介在して連結した構成としている。
【００１９】
バック本体２は、その上部の正面部２ａに内部の収納スペースに収納したものを出し入れするための面ファスナーを設けており、その背負い左右上端部には、横筒状の上連結体挿通筒２ｃ，２ｃを縫着し、その上連結体挿通筒２ｃ，２ｃに可撓性連結体を挿通可能な構成としている。
【００２０】
左右肩掛けベルト４，５は、使用者Ｐの肩２０から胸部に当接する幅広の上部肩ベルト体５ａと使用者の側腹部から腰部２３に当接する下部肩ベルト体５ｂとから構成している。
【００２１】
左右肩掛けベルト４，５の上端部には、横筒性の下連結体挿通筒４ａ１，５ａ１を縫製し、その下連結体挿通筒４ａ１，５ａ１に可撓性連結体を挿通可能な構成としている。
【００２２】
可撓性連結体、例えば鎖体８，９は無端状の可撓性に構成し、鎖体８，９は上連結体挿通筒２ｃ，２ｃと下連結体挿通筒４ａ１，５ａ１に跨って環状の無端チェーンとして挿通されている。
【００２３】
従って、図４に示すようにリュックサックＫを背負い状態からずらす際には、左右肩掛けベルト４，５のうち一方の肩掛けベルト５を肩２０から下して環状の肩掛けベルト５から腕２１を引き抜く動作を必要とするが、その際に一方の肩掛けベルト５の上端部とバック本体２の背負い左右上端部との間において上連結体挿通筒２ｃと下連結体挿通筒５ａ１を介して無端状の鎖体９が自在に摺動して肩掛けベルト５の上部が肩２０から腕２１にずれ落ちるに従ってそのずれ落ちる軌跡が無端状の鎖体９の変形にともない大きく外方に移動する。
【００２４】
仮に、肩掛けベルトの上端部とバック本体の上端部とが連結して一体化したものの場合には、肩掛けベルトの上部が肩からずれ落ちる軌跡は、バック本体の上端部から肩掛けベルトのずれ落ちる規定された長さとなってしまい非常に窮屈な軌跡となって環状の肩掛けベルトから腕を引き抜きにくくなる。
【００２５】
しかし、本発明においては無端状の鎖体８，９が肩掛けベルト４，５の下連結体挿通筒４ａ１，５ａ１とバック本体の上連結体挿通筒２ｃ，２ｃとの間で自在に摺動して上下連結体挿通筒２ｃ，２ｃ，４ａ１，５ａ１間の距離が鎖体８，９の摺動による伸び縮みにより変化調整され、肩掛けベルト４，５の上部のずれ落ちる軌跡を最大に外方に動くように形成することができることになり、弯曲状した肩掛けベルト４，５の上部から肩２０及び腕２１を容易に引き抜きやすくする。
【００２６】
肩掛けベルト４，５の下端部４ｂ２，５ｂ２は、バック本体２の下方の左右側部２ｅ，ｅに縫着している。
【００２７】
さらに、各上部肩ベルト体４ａ，５ａの下端部４ａ２，５ａ２と各下部肩ベルト体４ｂ，５ｂの上端部４ｂ１，５ｂ１と間には、各肩掛けベルト４，５の長さを調節するアジャスタ６，７を備えている。
【００２８】
可撓性連結体としては、例えば、上記したように複数のリングを連結した鎖体８，９で構成している。鎖体８，９とすることで肩掛けベルト４，５のデザイン的なアクセントとなり、斬新なデザインのリュックサックＫとすることができると共に、上下連結体挿通筒２ｃ，２ｃ，４ａ１，５ａ１間における摺動に伴う各上下連結体挿通筒２ｃ，２ｃ，４ａ１，５ａ１間の距離の伸縮作動を円滑に行える。特に鎖体の特性としてリングを多数係合してチェーンとするものであるから、リングとリングの係合の緊締状態で最大のチェーン長さとなり、また、リング同士の弛緩状態では各リングが弛んでチェーンの長さが短縮されて肩掛けベルト４，５の操作性を良好とすることができる。
【００２９】
図２に示すように、使用者ＰがリュックサックＫを背負った状態を後ろから見ると、肩掛けベルト４，５の上端部の下連結体挿通筒４ａ１，５ａ１から中途部分が使用者Ｐの前から後の肩２０に接触し、肩掛けベルト４，５の上端部の下連結体挿通筒４ａ１，５ａ１とバック本体２の背負い左右上端部の上連結体挿通筒２ｃ，２ｃとの間の鎖体８，９が使用者Ｐの後の肩２０から背中上部２２（二の腕２１の上部２１ａ横）に接触し、バック本体２が背中２２から腰部２３に当接した状態となる。
【００３０】
図３に示すように、使用者ＰがリュックサックＫを下す際には、まず一方の肩掛けベルト５を使用者Ｐの肩２０から腕２１にずらす動作を行うと、鎖体９が各筒状の各上下連結体挿通筒２ｃ，５ａ１内を摺動すると共に、各筒状の各上下連結体挿通筒２ｃ，５ａ１から露出した鎖体９の左右直線部分９ａが略平行（図３（ａ）参照）から非平行（図３（ｂ）及び図４参照）になり、一方の肩掛けベルト５を使用者Ｐの肩２０から簡単に外すことができる。
さらに、もう片方の肩掛けベルト４を使用者Ｐの肩２０から腕２１にずらす動作を行えば、同様に、各筒状の各上下連結体挿通筒２ｃ，４ａ１から露出した鎖体８の左右直線部分８ａが略平行から非平行になり、他方の肩掛けベルト４を使用者Ｐの肩から簡単に外すして最終的にリュックサックＫを下すことができる。
【００３１】
使用者ＰがリュックサックＫを背負う際には、上述した下す動作と逆の動作を行うことで、リュックサックＫを簡単に背負うことができる。
【００３２】
使用者Ｐが本ベルト構造のリュックサックＫを背負って移動した際にバック本体２が上下方向に動くと、左右肩掛けベルト４，５の上端部の下連結体挿通筒４ａ１，５ａ１とバック本体２の背負い左右上端部の上連結体挿通筒２ｃ，２ｃとの間の露出した鎖体部分８ａ，９ａが上下振動にあわせて撓むことで、バック本体２の上下方向の振動を吸収して、肩掛けベルト４，５のうち使用者Ｐの肩と接触した部分は常に使用者Ｐの肩２０．２０の所定位置に固定される。
【００３３】
しかも、各鎖体８，９は、肩掛けベルト４，５の筒状の上端部の下連結体挿通筒４ａ１，５ａ１とバック本体２の背負い左右上端部の上連結体挿通筒２ｃ，２ｃとの間を摺動することで、バック本体２上部の左右方向の振動を吸収することができる。
【００３４】
［他の可撓性連結体］
可撓性連結体としては、鎖体８，９の他に、図５（ｂ）に示す滑動しやすいビーズ玉を繋いだ連結体１１や紐体１２（図５（ｃ）参照）で構成してもよい。紐体１２とすることにより使用者Ｐの体型に合わせて、長さを簡単に調節することができる。また、様々な色の紐体１２を準備することで、使用者のし好に合った紐体に取り換えて使用することが可能となる。
【００３５】
上述した左右肩掛けベルト４，５は、その肩接触面を滑動しやすいシートで構成してもよい。滑動しやすいシートとしては、合成樹脂シートや不織布シートで構成している。
【００３６】
かかる左右肩掛けベルト４，５の肩接触面を滑動しやすいシートで構成したので、リュックサックＫのバック本体２に荷物を収納して長時間背負っても、肩掛けベルト４，５の肩接触面が常に滑動して使用者Ｐの肩２０，２１への点接触を防ぎ、身体への荷重負荷を軽減することができる。左右肩掛けベルト４，５を外す際に肩や胸との滑りを良好としてリュックサックＫの下しや背負い動作を容易にすることができる。
【００３７】
さらに、シートを合成樹脂シートとした場合には、雨でシートが濡れてもシート内部に水分が吸収されず快適に使用できる。不織布シートの場合には、使用者の汗をシート内に取り込みが、その繊維質の組成から直ぐに汗をシート外部に発散して、滑動シートして使用することができる。
【００３８】
さらに、使用者Ｐの胸部位置の肩掛けベルト４，５間に、胸部ベルトの長さを調節可能な胸部ベルト調整具を装着するようにしてもよい。
【００３９】
また、使用者Ｐの腹部位置のバック本体２の背部下方２ｄの両側部間に、腹部べルトの長さを調節可能な腹部ベルト調整具１３を装着するようにしてもよい。
【００４０】
以上、上述した実施例を通して本発明を説明してきたが、本発明はこれらに限定されるものではない。また、上述した各種効果は、本発明から生じる最も好適な効果を列挙したに過ぎず、本発明による効果は、実施例に記載されたものに限定されるものではない。
【符号の説明】
【００４１】
Ｋ  リュックサック
２  バック本体
４，５  肩掛けベルト
６，７  アジャスタ
８，９  鎖体
Ｐ  使用者
２０  肩
２１  腕
２２  背中
２３  腰部
【図１】
2018000237.tif 000003
【図２】
2018000237.tif 000004
【図３】
2018000237.tif 000005
【図４】
2018000237.tif 000006
【図５】
2018000237.tif 000007